(57)【要約】【課題】  気泡噴流浴槽において、刺激が少ない一方で、身体をさするような心地よい入浴を可能とする。【解決手段】  臀部に支持された入浴時の体位の足裏部および腰部付近の少なくともいずれかから肩部もしくは背部上方に向って浴槽水が流れるように、浴槽１底面には、足裏部付近および臀部横の少なくともいずれかに、気泡噴流を発生させる噴出口６Ｃ，６Ｄを有する隆起部８が配設される。【選択図】  図１
2006271426.tif 000002
【特許請求の範囲】
【請求項１】
臀部に支持された入浴時の体位の足裏部および腰部付近の少なくともいずれかから肩部もしくは背部上方に向かって浴槽水が流れるように流れ制御されていることを特徴とする浴槽。
【請求項２】
浴槽底面には、足裏部付近および臀部横の少なくともいずれかに、気泡噴流を発生させる噴出口を有する隆起部が配設されていることを特徴とする請求項１の浴槽。
【請求項３】
浴槽水の流れ変更部材が配置されていることを特徴とする請求項１または２の浴槽。
【請求項４】
流れ変更部材は、肩部から足先部方向にＷ字型に折り曲げ可能であることを特徴とする請求項３の浴槽。
【請求項５】
請求項１から４のうちのいずれかの浴槽であって、背側および足側の少なくともいずれかにも気泡噴出口を有し、切換えにより、背部、胸腹部もしくは膝部付近に直接気泡噴流が当たることも可能としたことを特徴とする浴槽。
【発明の詳細な説明】
【技術分野】
【０００１】
本願発明は、浴槽水が身体に沿って流れるようにした浴槽に関するものである。
【背景技術】
【０００２】
従来、入浴時において身体の足側と背側に気泡噴流を発生させて、入浴時の加温やマッサージの効果を高めるようにした浴槽が知られている。この従来の気泡噴流発生浴槽においては、たとえば図４に示したように、浴槽１の底面近傍に設けた吸込口２より浴槽水３を吸込み、ポンプ４により、浴槽水３を空気５と混合して気泡を含む噴流として入浴者の背側および足側の噴出口６Ａ，６Ｂから噴出させるようにしている（たとえば特許文献１参照）。
【０００３】
このような従来の気泡噴流発生浴槽の場合には、図中に矢印で示したように、気泡噴流が入浴者７の背部や胸腹部あるいは膝部付近等に直接当たるようにしている。そして、その際の気泡の混入や噴出圧について調整できるようにもしている。
【０００４】
しかしながら、このような従来の気泡発生浴槽では入浴者に直接に気泡噴流が当たることから入浴者においては刺激が強く、必ずしも心地よくない場合があるという問題があった。
【特許文献１】特開平８−１４１０３３号公報
【発明の開示】
【発明が解決しようとする課題】
【０００５】
本願発明は、以上のとおりの背景から、従来の問題点を解消し、気泡噴流浴槽であっても、刺激が少ない一方で、加温やマッサージ効果も良好であって、心地よい入浴が可能とされる新しい浴槽を提供することを課題としている。
【課題を解決するための手段】
【０００６】
本願発明の浴槽は、上記の課題を解決するものとして以下の特徴を有している。
【０００７】
第１：臀部に支持された入浴時の体位の足裏部および腰部付近の少なくともいずれかから肩部もしくは背部上方に向かって浴槽水が流れるように流れ制御されている。
【０００８】
第２：上記浴槽の底面には、足裏部付近および臀部横の少なくともいずれかに、気泡噴流を発生させる噴出口を有する隆起部が配設されている。
【０００９】
第３：上記第１または第２の浴槽において浴槽水の流れ変更部材が配置されている。
【００１０】
第４：流れ変更部材は、肩部から足先部方向にＷ字型に折り曲げ可能である。
【００１１】
第５：上記第１から第４のいずれかの浴槽において、背側および足側の少なくともいずれかにも気泡噴出口を有し、切換えにより、従来同様の、背部、胸腹部もしくは膝部付近に直接気泡噴流が当たることも可能としている。
【発明の効果】
【００１２】
上記のとおりの本願第１の発明によれば、気泡噴流が入浴者の足裏や腰部付近から肩部もしくは背部上方に向って身体をさするように流れるため、刺激が少なく、しかも加温やマッサージ効果に優れた心地よい入浴が可能とされる。
【００１３】
第２の発明によれば、足裏部や臀部横の噴出口からの気泡噴流の噴出によって、上記の効果はより確実に顕著なものとされる。
【００１４】
また、第３の発明によれば、浴槽水の流れ変更部材によって上記の効果は顕著となり、第４の発明の流れ変更部材によりさらに確実、かつ顕著なものとなる。
【００１５】
そして、従来の気泡噴出構造と切換え可能とした第５の発明の浴槽によれば、入浴者の体調や希望に応じて、より強い刺激の気泡噴流と、刺激が少ない身体をさするような流れとの切換えが可能とされる。
【発明を実施するための最良の形態】
【００１６】
本願発明は上記のとおりの特徴をもつものであるが、以下にその実施の形態について説明する。
【００１７】
図１は、本願発明の一実施形態を例示した断面概要図であるが、たとえばこの図１の例では、浴槽１の底面部において、入浴者７の足裏部付近と臀部横に、気泡噴流を発生させる噴出口６Ｃ，６Ｄを有する隆起部８が設けられている。この噴出口６Ｃ，６Ｄとこれを有する隆起部の平面配置を例示したものが図２である。
【００１８】
浴槽１中の浴槽水３は、底面部に設けられた吸込口２から循環のために吸込まれ、ポンプ４において空気５と混合されて上記の噴出口６Ｃ，６Ｄより気泡噴流として噴出される。足裏部付近の噴出口６Ｃから噴出された気泡噴流は、図中１において破線矢印で示したように、たとえば足裏部から下肢、膝部、上肢へと入浴者７の身体に沿って、身体をさするように流れて肩部の方向へと向う。一方、臀部横に配置された噴出口６Ｄから噴出された気泡噴流は、同様に図１中に破線矢印で示したように腰部から肩部、背部に向かって、入浴者７の身体をさするように流れる。
【００１９】
このような身体をさするような流れの噴出口６Ｃ，６Ｄにおいては、各々切換えによって一方のみからの噴出が可能とされてもよいし、両方からの噴出も選択可能とされてもよい。
【００２０】
噴出口６Ｃ，６Ｄが配置される隆起部８は、入浴時の障害にならないような形状、構造として設けられ、しかも、噴出口６Ｃ，６Ｄから噴出される気泡噴流が、上記のように、足裏部、そして腰部から身体をさするように肩部もしくは背部に向うような形状、構造として配設される。足裏部の隆起部８は、図２のように、左右の足裏部に対向する噴出口６Ｃを共に有しているものでもよいし、別々にしているものでもよい。
【００２１】
なお、図１および図２の例においては、水面付近の浴槽水３を、浴槽１の底面部に設けた吸込口２に導くように、２重背もたれ部９を有している。この２重背もたれ部９に代えて、吸込口２の位置をより水面近くに設けるようにしてもよい。
【００２２】
そしてまた、図１に例示したように、以上の実施形態においては、流れ変更部材１０として、入浴者７の肩部から足先部方向にＷ字型に折り曲げ可能な部材を具備し、これを用いることができる。このＷ字型に折り曲げ可能な流れ変更部材１０においては、たとえば板材がヒンジ部を介して連結されており、ヒンジ部から自由に折り曲げることができるようにする。たとえばこのような流れ変更部材１０では、Ｗ字の中央頂部が屈曲時の膝部上方に位置し、前後の頂部が足先前方および胸部付近の前方に位置するような形状、大きさとすることが好適に考慮される。
【００２３】
そして、このようなＷ字型の流れ変更部材１０の使用によって、上記のような入浴者の足裏部および腰部付近から肩部もしくは背部上方に向っての浴槽水の流れはより効果的に、確実に制御可能とされる。
【００２４】
図１に例示したようなＷ字型の流れ制御部材１０は、たとえば、中央そして前後の頂部を混入によって浴槽水の水面付近に存在するような素材とし、それ以外の部分が水面下方に沈むように構成することで実現することができる。いずれの場合でも、Ｗ字型の流れ制御部材１０では、上記のように、たとえば板材をヒンジ部を介して連結した構造や、さらに各種の構造が採用されてよい。このＷ字型の流れ制御部材１０は、浴槽蓋と兼用可能な形状、構造とすることで、たとえば図３に例示したように、非入浴時には、浴槽蓋として浴槽水３の上部を覆うようにすることもできる。
【００２５】
もちろん、流れ制御部材１０については上記のものに限定されることはなく、浴槽本体と別体もしくは一体のものとして様々な形状、構造として考慮されてよい。
【００２６】
以上のような入浴者の身体をさするような浴槽水の流れ制御は、刺激の少ない心地よい気泡噴流を実現するものであるが、このような手段とともに、従来の若干刺激の強い気泡噴流の噴出と切換え使用できる手段を採用してもよい。これによって、入浴者の体調、好み等に応じて気泡噴流のもたらす感触を選択することが可能になる。
【００２７】
以上例示したとおりの本願発明の浴槽においては、上記例示において詳述してはいないが、気泡発生のための噴出口や、ポンプ等による循環のためのシステム構造、それらの部材等について従来公知のものをはじめとして適宜であってよいことは言うまでもない。
【図面の簡単な説明】
【００２８】
【図１】本願発明の浴槽の一実施形態を例示した断面概要図である。
【図２】気泡噴流の噴出口と隆起部の平面配置を例示した平面概要図である。
【図３】流れ変更部材を浴槽蓋と兼用する場合の非入浴時の状態を例示した断面概要図である。
【図４】従来の気泡噴出浴槽を示した断面概要図である。
【符号の説明】
【００２９】
１  浴槽
２  吸込口
３  浴槽水
４  ポンプ
５  空気
６Ａ，６Ｂ，６Ｃ，６Ｄ  噴出口
７  入浴者
８  隆起部
９  ２重背もたれ部
１０  流れ変更部材
【図１】
2006271426.tif 000003
【図２】
2006271426.tif 000004
【図３】
2006271426.tif 000005
【図４】
2006271426.tif 000006